(57)【要約】使い捨てでないパドルよりも経済的で容易な除細動手順を与える使い捨て内部除細動器パドルである。使い捨てパドルは、（ａ）スプーンに取り付けられた柄に取り付けられたハンドルを含み、スプーンは受容ユニットを有し、ハンドル、柄、及びスプーンは全て、非導電性の材料から形成され、（ｂ）電極板はスプーンの電極板に取り付けられる。【特許請求の範囲】
【請求項１】
パッケージ内の第１のワイヤに電気的に接続された、前記パッケージ内の第１のスプーン電極と、
前記パッケージ内の第２のワイヤに電気的に接続された、前記パッケージ内の第２のスプーン電極と、
前記第１のスプーン電極と前記第２のスプーン電極を電気的に接続する前記パッケージ内の試験ユニットと、
前記第１のワイヤに電気的に接続された、前記パッケージ外に配置された第１の導体と、
前記第２のワイヤに電気的に接続された、前記パッケージ外に配置された第２の導体とを有する、
自己試験内部除細動器パドルパッケージ装置。
【請求項２】
前記パッケージの外面は透明部分を有する、請求項１記載の装置。
【請求項３】
前記第１の導体及び前記第２の導体は防菌シールを用いて前記パッケージを通って突出する、請求項１記載の装置。
【請求項４】
前記パッケージの内容物は殺菌されている、請求項１記載の装置。
【請求項５】
前記第１の導体と前記第２の導体の間に与えられる電荷は試験ユニットを作動させる、請求項１記載の装置。
【請求項６】
前記試験ユニットは電灯である、請求項１記載の装置。
【請求項７】
前記試験ユニットは発光ダイオードである、請求項１記載の装置。
【請求項８】
前記試験ユニットはネオンランプである、請求項１記載の装置。
【請求項９】
前記試験ユニットは可聴のアラームである、請求項１記載の装置。
【請求項１０】
前記パッケージの殺菌性を維持しつつ、前記第１のスプーン電極と前記第２のスプーン電極の間の導電性を試験するよう、前記第１の導体と前記第２の導体の間に電荷が与えられうる、請求項１記載の装置。
【請求項１１】
前記第１の導体及び前記第２の導体はクリップを有する、請求項１記載の装置。
【請求項１２】
前記第１のワイヤ及び前記第２のワイヤが前記パッケージを出る部分をドーナッツ型のバリアが囲む、請求項１記載の装置。
【請求項１３】
前記試験ユニットは、肯定的な試験を示す前に所定の電圧を自動的に調べる、請求項１記載の装置。
【請求項１４】
前記第１の導体と前記第２の導体の間に電荷が印加されるとき、前記試験ユニットへの電気の流れを許すスイッチを更に有する、請求項１記載の装置。
【請求項１５】
前記パッケージは、成形されたプラスチックブロックを有する、請求項１記載の装置。
【請求項１６】
前記第１のスプーン電極は可鍛性の材料から形成される、請求項１記載の装置。
【請求項１７】
前記第１の柄は前記第１のスプーン電極に取り付けられ、前記第１の柄は可鍛性の材料から形成される、請求項１６記載の装置。
【請求項１８】
パッケージ内の第１のワイヤに電気的に接続された、前記パッケージ内の第１のスプーン電極と、
前記パッケージ内の第２のワイヤに電気的に接続された、前記パッケージ内の第２のスプーン電極と、
前記第１のスプーン電極及び前記第２のスプーン電極に電気的に接続された、前記パッケージ内の試験ユニットと、
前記第１のワイヤに電気的に接続された、前記パッケージ外に配置された第１の導体と、
前記第２のワイヤに電気的に接続された、前記パッケージ外に配置された第２の導体と、
前記第１の導体と前記第２の導体の間に電荷が印加されるとき、前記試験ユニットへの電気の流れを許すスイッチとを有する、自己試験除細動器パドルパッケージ装置であって、
前記パッケージの外面は透明部分を有し、
前記第１の導体及び前記第２の導体は防菌シールを用いて前記パッケージを通って突出し、
前記パッケージの内容物は殺菌されており、
前記第１の導体と前記第２の導体の間に与えられる電荷は試験ユニットを作動させ、
前記試験ユニットは電灯であり、
前記試験ユニットは発光ダイオードであり、
前記試験ユニットはネオンランプであり、
前記試験ユニットは可聴のアラームであり、
前記パッケージの殺菌性を維持しつつ、前記第１のスプーン電極と前記第２のスプーン電極の間の導電性を試験するよう、前記第１の導体と前記第２の導体の間に電荷が与えられえ、
前記第１の導体及び前記第２の導体はクリップを有し、
前記第１のワイヤ及び前記第２のワイヤが前記パッケージを出る部分をドーナッツ型のバリアが囲み、
前記試験ユニットは、肯定的な試験を示す前に所定の電圧を自動的に調べ、
前記パッケージは、成形されたプラスチックブロックを有し、
前記第１のスプーン電極は可鍛性の材料から形成され、
前記第１の柄は前記第１のスプーン電極に取り付けられ、前記第１の柄は可鍛性の材料から形成される、装置。
【請求項１９】
柄と、
前記柄に接続され、操作者が前記スプーン電極を特定形状の外形とすることを可能とする可鍛性のスプーン電極とを有する、
可鍛性内部パドル柄及びスプーン装置。
【請求項２０】
前記可鍛性のスプーンを介して心臓に電荷が印加される、請求項１９記載の装置。
【請求項２１】
前記柄は可鍛性である、請求項１９記載の装置。
【請求項２２】
前記柄は非導電性である、請求項１９記載の装置。
【請求項２３】
前記柄は曲がっている、請求項１９記載の装置。
【請求項２４】
前記柄に接続されたハンドルを更に有し、前記ハンドルは、前記柄の長さを調整するよう前記柄が前記ハンドルの中に調整可能に摺動することができるように前記柄を受容する開口部を有する、請求項１９記載の装置。
【請求項２５】
心臓を蘇生しようと試みる方法であって、
患者の心臓に合うよう２つの可鍛性のスプーン電極を成形する段階と、
心臓を蘇生するよう試みるために前記スプーン電極の間に電荷を印加する段階とを有する方法。
【請求項２６】
前記スプーンに接続された２つの可鍛性の柄を成形する段階を更に有する、請求項２５記載の方法。
【請求項２７】
殺菌された使い捨て内部除細動器パドルの試験を可能とする装置であって、
いずれも試験ユニットに電気的に接続された第１の内部除細動器パドル及び第２の内部除細動器パドルと、前記第１の内部除細動器パドル及び前記第２の内部除細動器パドル、並びに、試験ユニットはパッケージ内に配置され、
いずれも前記パッケージ外に配置され、前記第１の内部除細動器パドルに接続された第１のコネクタ及び前記第２の内部除細動器パドルに接続された第２のコネクタとを有し、
前記第１のコネクタと前記第２のコネクタの間に与えられた電荷が前記試験ユニットを作動させる、装置。
【請求項２８】
ハンドル、柄、及びスプーンは全て非導電性の材料から形成され、受容ユニットを有する前記スプーンに取り付けられた前記柄に取り付けられた前記ハンドルと、
前記スプーンの前記受容ユニットに取り付けられる電極板とを有する、装置。
【請求項２９】
前記ハンドル及び前記柄及び前記スプーンは、一体に成形される、請求項２８記載の装置。
【請求項３０】
前記電極板に電気的に接続されたワイヤを更に有する、請求項２８記載の装置。
【請求項３１】
前記ワイヤは前記ハンドル及び前記柄を通る、請求項２８記載の装置。
【請求項３２】
前記スプーン及び前記電極板はいずれも円形である、請求項２８記載の装置。
【請求項３３】
前記柄は可撓性の材料から形成される、請求項２８記載の装置。
【請求項３４】
前記スプーンは可撓性の材料から形成される、請求項２８記載の装置。
【請求項３５】
前記受容ユニットは前記スプーンの中心の孔を有し、前記電極板は前記孔にスナップ式に取り付けられる前記電極板の中心にあるヘッドを有する、請求項２８記載の装置。
【請求項３６】
前記柄は湾曲部を含む、請求項２８記載の装置。
【請求項３７】
前記ハンドルは、前記柄の長さを調整するよう前記柄が前記ハンドルの中へ調整可能に摺動しうるよう、前記柄を受容する開口部を有する、請求項２８記載の装置。
【請求項３８】
前記ハンドル、前記柄、前記スプーン、及び前記電極板を殺菌された状態で格納する殺菌パッケージを更に有する、請求項２８記載の装置。
【請求項３９】
自己試験ユニットを更に有する、請求項３７記載の装置。
【請求項４０】
前記電極板に接続し、細菌バリアを通して前記パッケージ外へ突出し、前記パッケージを開けることなく前記自己試験ユニットが動作することを可能とする、ワイヤを更に有し、請求項３８記載の装置。
【請求項４１】
前記受容ユニットは前記電極板が前記スプーンにスナップ式に取り付けられることを許す、請求項２８記載の装置。
【請求項４２】
ハンドル、柄、及びスプーンは全て非導電性の材料から形成され、受容ユニットを有する前記スプーンに取り付けられた前記柄に取り付けられた前記ハンドルと、
前記スプーンの前記受容ユニットに取り付けられる電極板と、
前記ハンドル、前記柄、前記スプーン、及び前記電極板を殺菌された状態で格納する殺菌パッケージと、
自己試験ユニットと、
前記電極板に接続し、細菌バリアを通して前記パッケージ外へ突出し、前記パッケージを開けることなく前記自己試験ユニットが動作することを可能とする、ワイヤと、
を有する装置であって、
前記ハンドル及び前記柄及び前記スプーンは一体に成形され、
前記ワイヤは前記ハンドル及び前記柄を通り、
前記スプーン及び前記電極板はいずれも円形であり、
前記柄は可撓性の材料から形成され、
前記スプーンは可撓性の材料から形成され、
前記柄は湾曲部を含み、
前記ハンドルは、前記柄の長さを調整するよう前記柄が前記ハンドルの中へ調整可能に摺動するよう、前記柄を受容する開口部を有し、
前記受容ユニットは前記スプーンの中心の孔を有し、前記電極板は前記孔にスナップ式に取り付けられる前記電極板の中心にあるヘッドを有し、
前記受容ユニットは前記電極板が前記スプーンにスナップ式に取り付けられることを許す、装置。
【請求項４３】
導電性のスプーン電極に一体に取り付けられた非導電性の柄に一体に取り付けられた非導電性のハンドルを有する装置であって、
前記スプーン電極は可鍛性の材料から形成される、装置。
【請求項４４】
前記柄は可鍛性の材料から形成される、請求項４２記載の装置。
【請求項４５】
前記柄は湾曲部を含む、請求項４２記載の装置。
【請求項４６】
前記ハンドルは、前記柄の長さを調整するよう前記柄が前記ハンドルの中に調整可能に摺動することができるよう、前記柄を受容する開口部を有する、請求項４２記載の装置。
【請求項４７】
前記ハンドル、前記柄、前記スプーン、及び前記スプーン電極を殺菌された状態で格納する殺菌パッケージを更に有する、請求項４２記載の装置。
【請求項４８】
前記スプーン電極に電気的に接続された自己試験ユニットを更に有する、請求項４６記載の装置。
【請求項４９】
前記スプーン電極に接続し、細菌バリアを通して前記パッケージ外へ突出し、前記自己試験ユニットが前記パッケージを開けることなく動作することを可能とする、ワイヤを更に有する、請求項４７記載の装置。
【請求項５０】
導電性のスプーン電極に一体に取り付けられた非導電性の柄に一体に取り付けられた非導電性のハンドルと、
前記ハンドル、前記柄、前記スプーン、及び前記スプーン電極を殺菌された状態で格納する殺菌パッケージと、
前記スプーン電極に電気的に接続された自己試験ユニットと、
前記スプーン電極に接続し、細菌バリアを通して前記パッケージ外へ突出し、前記自己試験ユニットが前記パッケージを開けることなく動作することを可能とする、ワイヤとを有する装置であって、
前記スプーン電極は可鍛性の材料から形成され、
前記柄は可鍛性の材料から形成され、
前記柄は湾曲部を含み、
前記ハンドルは、前記柄の長さを調整するよう前記柄が前記ハンドルの中に調整可能に摺動することができるよう、前記柄を受容する開口部を有する、装置。
【発明の詳細な説明】
【技術分野】
【０００１】
開心手術中、患者の心臓の動きを再開させるために一対の内部除細動パドルが用いられる。各内部除細動パドルは、スプーン電極に取り付けられた柄に取り付けられたハンドルを有する。パドルハンドルは、スプーン電極が患者の胸部内に挿入され心筋に直接接触して配置されているとき、医師によって把持されている。電気放電は、一方のスプーン電極から患者の心臓を通って第２のスプーン電極へ通される。
【背景技術】
【０００２】
使用の前に、患者が感染しないよう、パドル電極は殺菌されねばならない。近年の殺菌法は、熱又は、エチレンオキシド等の化学剤を用いる。使用される方法及び材料は、パドル材料を劣化させ、パドルの耐用寿命を制限する。殆どの製造者は、パドルの最大耐用寿命を、通常は５０−１００殺菌サイクルの範囲として仕様を定める。しかしながら、パドルが経験する殺菌サイクルの回数をユーザが測定し追跡するための便利な機構はない。従って、パドルの耐用寿命を越えたかどうかを判定する簡単な方法はない。
【０００３】
殺菌は、２つの問題を生じさせうる。第１に、処理は費用が高くかかり、しばしば環境に良くない材料を用いる。第２に、破壊的であり、効果な再利用可能なパドルが定期的に交換されねばならない。更に、実際の耐用寿命が曖昧であるため、パドル電極の費用を患者に負わせることは難しい。
【０００４】
殺菌の前に乾いた血液や他の乾いた体液が除去されねばならないため、使用後にパドルのクリーニングが必要である。クリーニングは、時間がかかり、費用がかかり、ＡＩＤＳ、肝炎、又は他の感染性のものによる可能な汚染により危険が伴う。
【０００５】
更に、パドルは、近年ではできるだけ耐久性があるように作成される。これは、パドル電極接触領域が、大きな平坦な「スプーン」の形の厚く硬い金属から形成されることを意味する。１つのサイズで全ての形状に合うスプーンの形は一定であり、全ての心臓の湾曲に同じようにうまく合わないことがある。
【発明の開示】
【発明が解決しようとする課題】
【０００６】
従って、上述の問題を受けないような、使い捨てパドルといったパドルが必要とされる。また、パドルの殺菌を含まず、使い捨てパドルを試験する方法が必要とされる。
【課題を解決するための手段】
【０００７】
典型的な実施例では、本発明は、製造の費用が安価で、使い捨てでないパドルに必要であるようなクリーニング又はメンテナンスを必要としない、使い捨てパドルを提供する。
【０００８】
更に、本発明は、パドル又はパッケージの殺菌を含むことなしに試験されることが可能な殺菌パッケージ内の使い捨てパドルを提供する。
【０００９】
更に、本発明は、柔軟なスプーン電極及び柄であって、カスタム成形を可能とし、エネルギーショックを減少させることを潜在的に可能とするより良い電気接触を可能とするものを提供する。
【００１０】
このように、本発明は、改善された内部細動除去システムを実現することを目的とする。本発明の目的は、１つの実施例では、（ａ）パッケージ内の第１のワイヤに電気的に接続された、パッケージ内の第１のスプーン電極と、（ｂ）パッケージ内の第２のワイヤに電気的に接続された、パッケージ内の第２のスプーン電極と、（ｃ）第１のスプーン電極と第２のスプーン電極を電気的に接続するパッケージ内の試験ユニットと、（ｄ）第１のワイヤに電気的に接続された、パッケージ外に配置された第１の導体と、（ｅ）第２のワイヤに電気的に接続された、パッケージ外に配置された第２の導体とを有する、自己試験内部除細動パドルパッケージ装置によって達成されうる。
【００１１】
本発明の目的はまた、１つの実施例では、（ａ）柄を含む使い捨てパドル装置と、（ｂ）柄に接続され、操作者がスプーン電極を特定形状の外形とすることを可能とする可鍛性のスプーン電極とを有する、装置によって達成されうる。
【００１２】
本発明の目的はまた、１つの実施例では、（ａ）患者の心臓に合うよう２つの可鍛性のスプーン電極を成形する段階と、（ｂ）心臓を蘇生するよう試みるためにスプーン電極の間に電荷を印加する段階とを有する方法によって達成されうる。
【００１３】
本発明の目的はまた、１つの実施例では、（ａ）いずれも試験ユニットに電気的に接続された第１の内部除細動器パドル及び第２の内部除細動器パドルと、第１の内部除細動器パドル及び第２の内部除細動器パドル、並びに、試験ユニットはパッケージ内に配置され、（ｂ）いずれもパッケージ外に配置され、第１の内部除細動器パドルに接続された第１のコネクタ及び第２の内部除細動器パドルに接続された第２のコネクタとを有し、第１のコネクタと第２のコネクタの間に与えられた電荷が試験ユニットを作動させる、装置によって達成されうる。
【００１４】
本発明の目的はまた、１つの実施例では、（ａ）ハンドル、柄、及びスプーンは全て非導電性の材料から形成され、受容ユニットを有するスプーンに取り付けられた柄に取り付けられたハンドルと、（ｂ）スプーンの受容ユニットに取り付けられる電極板とを有する、装置によって達成されうる。
【００１５】
本発明の目的はまた、１つの実施例では、（ａ）導電性のスプーン電極に一体に取り付けられた非導電性の柄に一体に取り付けられた非導電性のハンドルを有する装置であって、スプーン電極は可鍛性の材料から形成される装置によって達成されうる。
【発明を実施するための最良の形態】
【００１６】
ここで、本発明の望ましい実施例について詳細に参照する。望ましい実施例は、添付の図面に図示されており、全ての図面を通じて同様の参照番号は同様の要素を指す。
【００１７】
本発明は、使い捨て内部除細動パドル（「パドル」）を提供する。使い捨てパドルは、クリーニング又は再殺菌が不要であるため、標準的な再利用可能なパドルよりも望ましい。更に、本発明は、パッケージの殺菌性を弱めることなく、殺菌された試験パドルを提供する。パッケージの外部に配置されたコネクタに電荷が与えられえ、パドルが正しく動作する場合は、視覚的な印が生ずる。
【００１８】
図１は、従来技術の内部パドルを示す図である。図示のパドルは使い捨てではなく、特別にパッケージに入れられたものでもない。パドルは、スプーン電極１０２に取り付けられた柄１０１に取り付けられたハンドル１００を有する。これらのパドルは使い捨てではないため、スプーン１０２は堅くなくてはならず、形を変えることが可能ではない。ワイヤ１０４は、電源に接続されるべきである。このようなパドルは、対で用いられ、それらの間に発生する電流は患者の心臓の動きを開始させるのを助ける。
【００１９】
図２は、本発明の１つの実施例による使い捨てパドルを示す図である。第１のハンドル２００は、第１のスプーン電極２０３に接続された第１の柄２０１に接続される。第１の柄２０１は、第２のスプーン電極２０３を心臓２０８上に配置するのを容易とするよう任意の第１の湾曲部２０２を有する。第１のスプーン電極２０３は、電気接触を生じさせるよう、心臓２０８に対して押し当てられる。第２のハンドル２０４は、第２のスプーン電極２０７に接続された第２の柄２０５に接続される。尚、第２の柄２０５はまた、任意の第２の湾曲部２０６を有する。第２のスプーン電極２０７は、電気接触を生じさせるよう心臓２０８に押し当てられる。第１のスプーン電極２０３と第２のスプーン電極２０７の間に電荷が与えられると、停止した心臓はうまくいけば再び拍動を始める。
【００２０】
スプーン電極２０３、２０７及び／又は柄２０１、２０５は、可鍛性の材料から形成されうる。このことは、各患者の心臓は異なった形状であり、スプーン及び／又は柄は、特定の患者の心臓の輪郭に一致するよう医師によって成形されうるため、有利である。これにより、心臓との改善された電気接触が得られる。
【００２１】
図３は、本発明の１つの実施例による使い捨てパドルを有するパッケージを示す図である。パッケージ３００は、浅いトレイであり、一般的には内部の内容物の殺菌性を維持するよう包装されており、蓋３０１によって封止されている。蓋３０１は、パッケージ３０の殺菌性を維持するよう気密でありうる。
【００２２】
第１のコネクタ３０２は、パッケージ３００の外側に配置される。第１のコネクタ３０２は、パッケージ３００を通って、パッケージ３００の内側に配置された第１のワイヤ３０４に電気的に接続される。第１のワイヤ３０４は、第１のスプーン電極３０６へ電気的に接続される。第１のスプーン電極３０６は、試験ユニット３０８（以下詳述）に電気的に接続される。試験ユニット３０８は、第２のスプーン電極３１０に電気的に接続される。第２のスプーン電極３１０は、第２のワイヤ３１２に電気的に接続される。第２のワイヤ３１２は、パッケージ３００を通じて、パッケージ３００の外側に配置された第２のコネクタ３１４に電気的に接続される。尚、第１のワイヤ３０４及び第２のワイヤ３１２は、或る場所ではツインワイヤ３１６として一緒にされうるが、第１のワイヤ３０４と第２のワイヤ３１２は、依然として互いに絶縁されている。
【００２３】
第１のハンドル３１８は第１のスプーン電極３０６に取り付けられ、第２のハンドル３２０は第２のスプーン電極３１０に取り付けられる。ハンドル３１８、３２０は、電極スプーンを患者の心臓上に配置するために医師によって使用される。本発明の１つの実施例では、第１のワイヤ３０４は第１のハンドル３１８を通って第１のスプーン電極３０６へ延び、第１のハンドル３１８は、第１のハンドル３１８を触っている医師が電流の流れに影響を与えないよう、非導電材料から形成される。第２のハンドル３２０は同様の形態とされる。ハンドル３１８、３２０は、一般的には、夫々、スプーン電極３０６、３１０に一体に取り付けられる。
【００２４】
上述の形態とすることにより、いずれもパッケージの外側（又はパッケージの外面上）に配置された第１のコネクタ３０２と第２のコネクタ３１４の間に電流が置かれると、電流は試験ユニット３０８を通ってパッケージの中に流れる。
【００２５】
試験ユニット３０８は、第１のコネクタ３０２及び第２のコネクタ３１４に印加された電流がスプーンの間を正しく流れていることについての視覚的な又は可聴の印を与える電気的な装置である。
【００２６】
試験ユニット３０８は、例えば、ネオンランプ、発光ダイオードといった種類のランプでありうる。パッケージ３００は、ランプが実際に点灯したことを人間が見ることを可能とする透明部分３１６を含みうる。他の実施例では、別の透明部分３１６が必要でないよう、蓋３０１自体が透明でありうる。試験ユニット３０８はまた、ベル又はブザーといった可聴のアラームでありうる。この場合、透明部分３１６は、一般的には必要でない。
【００２７】
図４は、図３中の円で囲まれた部分を拡大して示す図であり、本発明の１つの実施例による防菌シール（又は細菌バリア）を示す図である。ツインワイヤ４００は、パッケージの蓋（図示せず）が封止されているときに融合するツインワイヤの周りのドーナツ部４０２を通り、防菌シールを提供する。
【００２８】
図５は、本発明の１つの実施例の自己試験パッケージを示す図である。パッケージ５００は、パッケージを開けることなく内部の内容物を見ることができるよう、透明部分５０２（又は視覚的な印）を含む。第１のクリップ５０４（又は接点）及び第２のクリップ５０６は、パッケージの外側であり、電源（図示せず）からのワイヤをクリップに取り付けることにより電源からの電荷を受け取ることができる。
【００２９】
図６Ａ、図６Ｂ、図６Ｃは、本発明の多数の実施例による試験ユニットを示す回路図である。
【００３０】
ここで図６Ａを参照するに、第１の電極６００は、第２の電極６０６に接続されたネオンランプ６０４に接続された負荷抵抗器６０２に接続される。第１の電極と第２の電極の間を電流が流れると、ネオンランプは点灯し、肯定的な試験結果を示す。
【００３１】
ここで図６Ｂを参照するに、第１の電極６０８は負荷抵抗器６１０に接続され、負荷抵抗器６１０は並列に接続された第１の発光ダイオード６１２及び第２の発光ダイオード６１４に接続され、第１の発光ダイオード６１２及び第２の発光ダイオード６１４は第２の電極６１６に接続される。第１の電極６００と第２の電極６０６の間を電流が流れると、発光ダイオードは点灯し、肯定的な試験結果を示す。
【００３２】
ここで図６Ｃを参照するに、第１の電極６１８は抵抗器６２０（又は電流制限装置）に接続され、抵抗器６２０は電流インジケータ６２２に接続され、電流インジケータ６２２は第２の電極６２４に接続される。第１の電極６１８と第２の電極６２４の間を電流が流れると、電流インジケータ６２２は作動し、肯定的な試験結果を示す。
【００３３】
更に、試験ユニットは、任意に、インジケータが作動する前に所定の電圧を調べる従来の電圧チェック装置を含みうる。このように、腐食又は他の欠陥により、印加されたよりも小さい電圧が生ずると、問題があることを意味する。任意のスイッチが試験ユニットに接続されてもよく、これにより、全てが正しく接続されていると想定したとき、ユーザがスイッチを押すことによりユニットを操作することが可能となる。
【００３４】
当業者は、図６Ａ、図６Ｂ、図６Ｃに示す上述の回路を変更し、２つの電極間を電流が正しく流れている印（視覚的、可聴、その他）を与えるよう設計された様々な形態を得ることが認められ得る。
【００３５】
スプーン電極は、医師がスプーン電極を患者の心臓に一致した特定の形に成形しうるよう、可鍛性の材料から形成されうる。従来技術の使い捨て可能でないスプーンは、多数回の使用に耐えるよう設計されていたため、一般的には、硬い厚い材料から形成され、これは形付けることができなかった。本発明のスプーン電極は、例えば薄いアルミニウム合金又はステンレス鋼から形成されうる。これらのスプーン電極は使い捨てであるため、材料を曲げすぎてスプーンが次の使用のために持ちこたえないことについて心配はない。更に、柄もまた可鍛性の非導電性の材料から形成されうるため、医師は柄を成形してより良く心臓に合うようにしうる。柄は、成形されたゴム又はプラスチックといった可鍛性の非導電性の材料から形成されうる。
【００３６】
使い捨てパドルを含むパッケージは、医師がパドルを必要とするときにパドルを殺菌することについて気にかけなくともよいよう、一般的には殺菌されている。パッケージの内容物の殺菌は、一般的には、例えばガンマ放射線又はエチレンオキシドを用いるといった多数の公知の殺菌方法のうちのいずれかによって行われうる。
【００３７】
図７は、本発明の実施例による使い捨てパドルを示す図である。
【００３８】
上述のように、本発明は、使い捨ての一回使用型のパドル組立体を提供し、費用効率の良い簡単なシステムを提供する。図７は、かかる組立体の実施例を示す。
【００３９】
患者の心臓にショックを与えるのに用いられる電流を伝えるワイヤ７００は、ハンドル７０２に接続される。ハンドルは柄７０４に接続され、柄７０４はスプーン７０６に接続される。ハンドル７０２、柄７０４、及びスプーン７０６は、一般的には一体に成形される。ハンドル７０２、柄７０４、及びスプーン７０６は、いかなる様々な成形されたプラスチックから形成されてもよい。この実施例では、ハンドル、柄、及びスプーンは、非導電性の材料から形成される。
【００４０】
ワイヤ７００は、ワイヤがスプーン７０６のところまでは導電的に露出されていないよう、ハンドル７０２及び柄７０４を直接通る。或いは、ワイヤ７００は、ハンドル７０２及び柄７０４の下を通る絶縁されたワイヤでありうる。柄７０４はまた、ワイヤ７００を受容するよう柄７０４の下側を通る溝（図示せず）を有しうる。
【００４１】
電極板７０８（又は導電板）は、スプーン７０６にスナップ式に取り付けられ、電極板７０８は患者の心臓への電気接触を与える。電極板７０８は、スプーン７０６中の受容ユニット７０９（本例では孔）にスナップ式に取り付けられるヘッド７１０を有する。任意のワッシャ７１２は、電極板７０８をスプーン７０６上の所定の場所に固定する。
【００４２】
導電性のワッシャ７１４は、ワイヤ７００に接続され、ヘッド７１０にスナップ式に接続され、導電性のワッシャ７１４を電極板７０８に電気的に接続する。導電性のワッシャ７１４にスナップ式に接続されるヘッド７１０の部分は、電流が電極板７０８を通るよう導電性の材料から形成されるべきである。
【００４３】
導電性のワッシャ７１４を通る電流が露出しないことを確実とするよう、導電性のワッシャ７１４の上にキャップ７１６が配置されうる。キャップ７１６は、多数の従来の方法によって導電性のワッシャ７１４を覆ってスプーン７０６に取り付けられえ、例えば接着剤が使用されてもよく、又は、キャップ７１６が溝にスナップ式に取り付けられ得るようスプーン７０６内に円形の溝（図示せず）が成形されてもよい。
【００４４】
尚、他の実施例では、ワイヤ７００は、ハンドル７０２と柄７０４を通って直接通過し、ヘッド７１０の導電性の中央部に直接接続してもよい。本実施例では、ワイヤ７００は電極板７０８以外の他の面には導電性に露出していないため、ワッシャ７１２、７１４及びキャップ７１６は必要ではない。本実施例では、ヘッド７１０の中央部は導電性の材料から形成され、一方でヘッド７１０の先端は導電性の材料からは形成されない。
【００４５】
本発明の他の実施例では、ハンドル７０２は、柄７０４を受容するよう開口部（図示せず）を含みうる。このようにして、柄７０４の有効な長さは、ハンドル７０２を通って柄７０４を摺動させることにより調整されうる。柄は、ロック鍔部といったいかなる従来のロック機構によっても所定の長さに設定された後は摺動しないようハンドルの中に固定されうる。
【００４６】
本発明の他の実施例では、パドルは、導電性のスプーン電極に一体に取り付けられた非導電性の柄に一体に取り付けられたハンドルを有しうる。上述の実施例とは異なり、このパドルは、柄に一体に取り付けられた導電性のスプーン電極と共に製造される。この実施例では、別個の電極板（上述）は必要でない。別個の電極板以外に、全ての上述の実施例は本発明の変形例に適用されうる。
【００４７】
本発明の幾つかの望ましい実施例について図示し説明したが、当業者によれば、特許請求の範囲に定義された及びそれと等しい範囲の本発明の原理及び趣旨から逸脱することなく、本発明の変更がなされうる。
【図面の簡単な説明】
【００４８】
【図１】従来技術のパドルを示す図である。
【図２】本発明の１つの実施例による使い捨てパドルを示す図である。
【図３】本発明の１つの実施例による使い捨てパドルを有するパッケージを示す図である。
【図４】本発明の１つの実施例による、ケーブルの周りの防菌シールを示す、図３中の円で囲まれた部分を拡大して示す図である。
【図５】本発明の１つの実施例による、自己試験パッケージを示す図である。
【図６Ａ】本発明の１つの実施例による試験ユニットを示す回路図である。
【図６Ｂ】本発明の他の実施例による試験ユニットを示す回路図である。
【図６Ｃ】本発明の他の実施例による試験ユニットを示す回路図である。
【図７】本発明の１つの実施例による使い捨てパドルを示す図である。
【図１】
2005522245.tif 000002
【図２】
2005522245.tif 000003
【図３】
2005522245.tif 000004
【図４】
2005522245.tif 000005
【図５】
2005522245.tif 000006
【図６Ａ】
2005522245.tif 000007
【図６Ｂ】
2005522245.tif 000008
【図６Ｃ】
2005522245.tif 000009
【図７】
2005522245.tif 000010
【図７Ａ】
2005522245.tif 000011